(57)【要約】【課題】狭幅の仮設対象空間に設置しても作業者が昇降動作し易く、しかも架設が容易な梯子、及び、そのような梯子を備えた収納棚用のメンテナンス設備を実現する。【解決手段】一対の縦桟３１の間に横桟３５を縦桟長手方向で複数備え、一対の構造物の間の架設対象空間に架設すべく持ち運び自在に構成された梯子において、一対の構造物に一対の縦桟３１の上端部における並び方向での外側面間の距離よりも長い設定距離だけ離間させて設けられた一対の設置用支持部１０Ｈが設けられ、一対の縦桟３１の上端に、その一対の縦桟３１の並び方向での両外方側に突出した一対の突出部３４Ｈを備え、突出部３４Ｈの突出量が梯子３０の姿勢を縦桟３１の上端部の並び方向が一対の設置用支持部１０Ｈの並び方向に一致する姿勢としたときに、一対の突出部３４Ｈの夫々が、対応する位置の設置用支持部１０Ｈと平面視で重複する突出量に設定されている。【選択図】図４
2015172267.tif 000002
【特許請求の範囲】
【請求項１】
一対の縦桟の間に掛け渡された横桟を前記縦桟の長手方向で離間する形態で複数備え、一対の構造物の間に形成される架設対象空間に架設すべく持ち運び自在に構成された梯子であって、
前記一対の構造物に、前記一対の縦桟の上端部における並び方向での外側面間の距離よりも長い設定距離だけ離間させて設けられた一対の設置用支持部が設けられ、
前記一対の縦桟の上端に、前記一対の縦桟の並び方向での両外方側に突出した一対の突出部を備え、前記突出部の突出量は、当該梯子の姿勢を、前記縦桟の上端部の並び方向が前記一対の設置用支持部の並び方向に一致する姿勢としたときに、前記一対の突出部の夫々が、対応する位置の前記設置用支持部と平面視で重複する突出量に設定され、
前記一対の突出部の夫々を前記一対の設置用支持部の夫々が下方から受け止め支持することで前記架設対象空間に架設されるように構成された梯子。
【請求項２】
前記一対の縦桟の上端に、作業者が搭乗可能な平坦部が備えられ、
前記一対の突出部の下面を前記一対の設置用支持部の上面にて受け止め支持した状態において、前記平坦部の上面が水平面に沿う姿勢となるように構成された請求項１に記載の梯子。
【請求項３】
前記一対の突出部の下面又は前記一対の設置用支持部の上面のいずれか又は双方に、前記突出部と前記設置用支持部との水平方向に沿う相対移動を規制する滑り止め部が設けられている請求項１又は２記載の梯子。
【請求項４】
物品を収納する収納部を上下及び左右に複数備えた収納棚が前記設定距離隔てて前面を対向させた配置で一対設けられ、
一対の長尺状の水平部材が、前記収納棚の左右方向に沿う姿勢で、前記収納棚の前面における所定の高さに振り分けて配設され、
請求項１〜３の何れか１項に記載の梯子が、前記一対の水平部材を前記一対の設置用支持部とし、かつ、前記一対の収納棚の間に形成される空間を前記架設対象空間として架設される収納棚用のメンテナンス設備。
【請求項５】
下面を前記一対の水平部材の上面にて受け止め支持される形態で前記一対の水平部材に設置自在な踏板が備えられた請求項４に記載の収納棚用のメンテナンス設備。
【請求項６】
前記一対の縦桟の上端に、作業者が搭乗可能な平坦部が備えられ、
前記踏板の上下方向の厚さが、前記踏板を前記一対の水平部材にて支持した状態において、前記踏板の上面が前記梯子を前記一対の水平部材に架設したときの前記平坦部の上面と同じ高さとなる厚さである請求項５に記載の収納棚用のメンテナンス設備。
【発明の詳細な説明】
【技術分野】
【０００１】
本発明は、一対の縦桟の間に掛け渡された横桟を前記縦桟の長手方向で離間する形態で複数備え、一対の構造物の間に形成される架設対象空間に架設すべく持ち運び自在に構成された梯子、及び、それを備えた収納棚用のメンテナンス設備に関する。
【背景技術】
【０００２】
一対の構造物で挟まれた狭幅の空間に対して梯子を架設する場合、一対の構造物の何れかに梯子を立て掛けることで、梯子を架設することが考えられる。この場合、梯子の上端に係合用フックを当該梯子の縦桟の並び方向に直交する方向に突出させて設け、係合用フックと係合する被係合部を一対の構造物の何れかにおける所定の高さの位置に設けて、梯子の係合用フックを被係合部に引掛けることで、梯子を確実に架設することができる。
しかしながら、このような架設方法では、平面視にて梯子の縦桟の並び方向が一対の構造物で挟まれた架設対象空間の長手方向に沿う状態で梯子を架設することになるため、梯子の下端部分において、構造物に立てかけた梯子と、当該構造物と反対側の構造物との間に形成されるスペースは制限される。その為、梯子に正対する作業者の背後に十分なスペースが確保し難く、特に、梯子を構造物に傾斜させて立てかけた場合、梯子の下端側において作業者が昇降動作し難いものとなる。そこで、例えば、特開２００３−１０５９６７号公報（特許文献１）に示されるような梯子を利用することも考えられる。
【０００３】
上記特許文献１に記載の梯子は、その上端部に、外方に復帰付勢された係合ピンを備えている。この梯子を仮設対象空間に架設するときには、作業者が係合ピンを内方に向けて引っ張って係合ピンの先端を梯子の一対の縦桟の並び方向外方側側面よりも内方側に引退させた状態で、架設対象の構造物に設けられた係合穴と梯子の上端に設けられた係合ピンとが側面視で重複する位置に梯子の上端を位置合わせし、その後、係合ピンを外方に突出する状態に復帰させる。これにより、梯子の上端を係合穴の位置に固定することができる。したがって、一対の構造物において対向する箇所に係合穴を設けておけば、一対の構造物で挟まれた架設対象空間の長手方向に沿う方向に正対して作業者が昇降可能な状態で梯子を架設することができる。
【先行技術文献】
【特許文献】
【０００４】
【特許文献１】特開２００３−１０５９６７号公報
【発明の概要】
【発明が解決しようとする課題】
【０００５】
しかしながら、特許文献１のような構成では、梯子の上端に備えられる係合ピンを作業者が引っ張って引退させて、梯子の縦桟の並び方向視にて係合ピンと係合穴とが重複する位置で係合ピンを突出状態に復帰させなければならないため、梯子の架設作業が煩雑である。また、床面からの高さが高い箇所での作業のために当該梯子を架設する場合には、係合穴を高所に設けることとなり、梯子の架設作業が困難となる。
【０００６】
そこで、狭幅の仮設対象空間に設置しても作業者が昇降動作し易く、しかも架設が容易な梯子、及び、そのような梯子を備えた収納棚用のメンテナンス設備が望まれていた。
【課題を解決するための手段】
【０００７】
上記課題を解決するための本発明に係る梯子は、一対の縦桟の間に掛け渡された横桟を前記縦桟の長手方向で離間する形態で複数備え、一対の構造物の間に形成される架設対象空間に架設すべく持ち運び自在に構成されたものであって、
前記一対の構造物に、前記一対の縦桟の上端部における並び方向での外側面間の距離よりも長い設定距離だけ離間させて設けられた一対の設置用支持部が設けられ、
前記一対の縦桟の上端に、前記一対の縦桟の並び方向での両外方側に突出した一対の突出部を備え、前記突出部の突出量は、当該梯子の姿勢を、前記縦桟の上端部の並び方向が前記一対の設置用支持部の並び方向に一致する姿勢としたときに、前記一対の突出部の夫々が、対応する位置の前記設置用支持部と平面視で重複する突出量に設定され、
前記一対の突出部の夫々を前記一対の設置用支持部の夫々が下方から受け止め支持することで前記架設対象空間に架設されるように構成されている点に特徴を有する。
【０００８】
すなわち、梯子の上端部に備える一対の突出部の夫々を一対の設置用支持部の夫々に下方から受け止め支持させることで梯子を架設対象空間に架設することができるから、作業者は、架設対象空間外から架設対象空間内まで梯子を運搬した後、梯子の下端を支持して梯子の上端を一対の構造物の夫々に設けられた設置用支持部よりも上方に位置させ、一対の突出部の夫々を対応する位置の設置用支持部と平面視で重複する状態として梯子を下降させる、という簡単な操作によって、梯子を架設対象空間に架設することができる。
そして、上記のようにして架設された梯子は、縦桟の上端部の並び方向（すなわち、横桟の長手方向）が一対の設置用支持部の並び方向に一致するものであるから、作業者は、狭幅の架設対象空間の長手方向に沿う方向に正対した姿勢で梯子を昇降することができる。
【０００９】
従来の梯子のように、縦桟の並び方向が一対の構造物の並び方向と平面視で直交する状態で梯子を構造物に架設する場合、梯子とその梯子を昇降する作業者が存在する空間が、一対の構造物にて挟まれる状態となる。一対の構造物の間に形成される仮設対象空間は、一般に狭幅であるため、作業者が梯子に正対したときにおいて、作業者の背後の形成されるスペースが制限される。特に、梯子を構造物に対して傾斜して架設した場合、梯子の下端においては作業者の背後に十分なスペースが確保し難く、作業者が昇降動作し難いものとなる。
これに対して、本願発明の梯子は、縦桟の並び方向が一対の構造物の並び方向に沿う状態で架設対象空間に架設するため、作業者が梯子に正対したときにおいても、作業者の背後には構造物が存在しない。このため、作業者の背後に十分なスペースが確保することができ、作業者が昇降動作し易い。
このように、狭幅の架設対象空間に設置しても作業者が昇降動作し易く、しかも架設が容易な梯子を提供できる。
【００１０】
本発明の梯子においては、前記一対の縦桟の上端に、作業者が搭乗可能な平坦部が備えられ、前記一対の突出部の下面を前記一対の設置用支持部の上面にて受け止め支持した状態において、前記平坦部の上面が水平面に沿う姿勢となるように構成されていることが好ましい。
【００１１】
すなわち、作業者は、架設した梯子を昇ったのちに、一対の縦桟の上端に設けられた平坦部に搭乗することができる。また、平坦部は、梯子を架設対象空間に架設した状態において、上面が水平面に沿うものであるから、作業者は、安定した姿勢で平坦部に搭乗して、作業等を行うことができる。
【００１２】
本発明の梯子においては、前記一対の突出部の下面又は前記一対の設置用支持部の上面のいずれか又は双方に、前記突出部と前記設置用支持部との水平方向に沿う相対移動を規制する滑り止め部が設けられていることが好ましい。
【００１３】
すなわち、梯子を架設対象空間に架設した状態において、一対の突出部とそれらに対応する一対の設置用支持部との水平方向に沿う方向での相対移動が規制されるため、梯子を架設対象空間に架設したときに、架設対象空間における梯子の架設位置及び姿勢が変化し難くすることができ、作業者が昇降し易いものとなる。
【００１４】
本発明の梯子を備えた収納棚用のメンテナンス設備においては、物品を収納する収納部を上下及び左右に複数備えた収納棚が前記設定距離隔てて前面を対向させた配置で一対設けられ、一対の長尺状の水平部材が、前記収納棚の左右方向に沿う姿勢で、前記収納棚の前面における所定の高さに振り分けて配設され、
前記梯子が、前記一対の水平部材を前記一対の設置用支持部とし、かつ、前記一対の収納棚の間に形成される空間を前記架設対象空間として架設されることが好ましい。
【００１５】
すなわち、物品を収納する収納部を上下及び左右に複数備えた収納棚において、収納棚の左右方向に沿う姿勢で、収納棚の前面における所定の高さに長尺状の水平部材が配設されているので、一対の収納棚の夫々における水平部材の夫々を一対の設置用支持部として、梯子を一対の収納棚の間に形成される狭幅の架設対象空間に、縦桟の並び方向が一対の収納棚の並び方向に沿う状態で架設することができる。
したがって、作業者が梯子に正対したときにおいても、作業者の背後には収納棚が存在せず、作業者の背後に十分なスペースが確保することができるので、作業者が昇降動作し易い。
また、一対の水平部材の夫々を、一対の収納棚の左右方向における所定の範囲に亘って設ければ、上記収納棚の左右方向において、水平部材の存在範囲での任意の位置に梯子を架設することができて作業性が良い。
このように、狭幅の架設対象空間に設置しても作業者が昇降動作し易く、架設が容易で、しかも作業性のよい梯子を備えた収納棚用のメンテナンス設備を提供できる。
【００１６】
本発明の梯子を備えた収納棚用のメンテナンス設備においては、下面を前記一対の水平部材の上面にて受け止め支持される形態で前記一対の水平部材に設置自在な踏板が備えられていることが好ましい。
【００１７】
すなわち、踏板を水平部材に設置することによって、梯子の上端の平坦部に加えて、架設対象空間における水平部材の設置高さに作業用の足場を設けることができる。このような踏板は、収納棚の左右方向の長さを作業者が搭乗して作業するに十分な設定長さに形成し、水平部材に１つのみ設置する構成としてもよく、収納棚の左右方向の長さを上記設定長さよりも短く形成して水平部材に複数設置する構成としてもよい。
踏板を水平部材に複数設置する場合、複数の踏板の夫々を互いに密着させて並べて設置すれば、連続した足場を設けることができる。また、複数の踏板の夫々を互いに離間させて並べて設置することもできる。
このように、踏板を水平部材に設置することによって、作業性のよい足場を形成可能な収納棚用のメンテナンス設備を提供できる。
【００１８】
本発明の梯子を備えた収納棚用のメンテナンス設備においては、前記一対の縦桟の上端に、作業者が搭乗可能な平坦部が備えられ、前記踏板の上下方向の厚さが、前記踏板を前記一対の水平部材にて支持した状態において、前記踏板の上面が前記梯子を前記一対の水平部材に架設したときの前記平坦部の上面と同じ高さとなる厚さであることが好ましい。
【００１９】
すなわち、踏板を一対の水平部材に架設したときに、その上面を、一対の水平部材に架設した梯子の平坦部と連続させることができる。このため、梯子の平坦部と踏板とを連続させて一対の水平部材に支持させたときに、段差のない状態で連続する作業用の足場を形成することができ、作業者にとって作業性の良い収納棚用のメンテナンス設備を提供できる。
【図面の簡単な説明】
【００２０】
【図１】梯子を設置した半導体基板容器の保管庫の側面図
【図２】水平部材に梯子及び踏板を設置した状態を示す図
【図３】梯子の上端部の構造を示す側面図
【図４】梯子の上端部の構造を示す正面図
【図５】梯子の架設方法を説明する図
【図６】梯子の平坦部と踏板の上面との関係を示す図
【発明を実施するための形態】
【００２１】
本発明の梯子及びそれを備えたメンテナンス設備の実施形態として、それらを半導体基板容器の保管庫に適用した場合を、図面に基づいて説明する。
図１に示すように、基板容器保管庫１には、物品としての基板容器Ｂを支持する支持体１１を上下及び左右に複数備えた収納棚１０が前面を対向させた配置で一対設けられ、一対の収納棚１０ａ及び収納棚１０ｂの間に形成される空間Ｋに、収納棚１０の左右方向に沿って配設された走行レール１０Ｒ上を走行自在なスタッカークレーン２０が設けられている。スタッカークレーン２０は、上下方向に沿う支柱２１と、支柱に沿って昇降移動自在な昇降体２２と、昇降体２２に設けられて基板容器Ｂを自己と収納部との間で移載自在な移載装置２３とを備えている。
基板容器保管庫１は、床１０Ｙ及び壁体１３で包囲されており、スタッカークレーン２０の走行方向の一端側の壁体１３に、保守作業を行う作業者Ｍが内部に進入するための進入口１２が設けられている。
本実施形態においては、支持体１１にて支持される基板容器Ｂの収納領域Ｓが収納部に相当する。
【００２２】
図１及び図２に示すように、一対の収納棚１０の前面に所定の高さに、一対の長尺状の水平部材１０Ｈが、収納棚１０の左右方向に沿う姿勢で取り付けられている。
本実施形態においては、一対の収納棚１０が一対の構造物に相当し、その間に形成される空間Ｋが架設対象空間に相当し、一対の収納棚１０の夫々に取り付けられた水平部材１０Ｈが一対の設置用支持部に相当する。
【００２３】
このような基板容器保管庫１において、例えば、スタッカークレーン２０の故障等によって基板容器Ｂが取り出せなくなった場合や支持体１１の補修が必要となった場合、作業者Ｍが収納棚１０において基板容器Ｂの取り出しや支持体１１の補修の対象となる収納領域Ｓの前面で作業を行う必要がある。そして、作業者Ｍの手の届かない高所の収納領域Ｓに対して作業を行う場合には、作業者Ｍは、壁体１３に設けられた進入口１２を通じて梯子３０を基板容器保管庫１の外部から内部に運搬して、一対の収納棚１０の間に形成される狭幅の架設対象空間に架設し、梯子３０を昇降して所望の収納領域Ｓの存在位置にアクセスすることになる。
【００２４】
梯子３０の構成について説明する。梯子３０は、図２に示すように、一対の縦桟３１と、その間に掛け渡された横桟３５を縦桟３１の長手方向で離間する形態で複数備えて構成されている。
図３、４に示すように、一対の縦桟３１の上端には、一対の縦桟３１の間、及び、一対の縦桟３１の並び方向（以降、梯子幅方向と称する）の外側面よりも外方の設定長さに亘って、作業者Ｍが搭乗可能なステップ３３が備えられている。本実施形態においては、ステップ３３が平坦部に相当する。
【００２５】
ステップ３３の上面３３Ｍは、平坦状に形成されている。ステップ３３と一対の縦桟３１の夫々とは、梯子幅方向視でステップ３３の上面３３Ｍが沿う方向に直交する方向と、縦桟３１の長手方向が沿う方向とがなす角度が、０度〜４５度（好ましくは１０度〜２０度）の範囲内の所定角度となる状態で固定して接続されている。
また、ステップ３３は、一対の縦桟３１の長手方向視における、梯子幅方向に直交する方向での長さが、一対の縦桟３１の梯子幅方向での外側面間の距離よりも短くなるように形成されている。
【００２６】
また、ステップ３３の裏面（縦桟３１の存在側）には、ステップ３３の梯子幅方向での端部より内方側に位置して、下方（縦桟３１の長手方向）に延出する平板状の垂直部材３４Ｖと、同垂直部材３４Ｖの配設位置から梯子幅方向での外方側に突出する平板状の水平部分３４Ｈとを備える係止部材３４が、ステップ３３の梯子幅方向での両端部に設けられている。さらに、一対の水平部分３４Ｈの夫々の下面には、ゴムや発泡ウレタン等で形成された平板状の滑り止め部３４Ｓが設けられている。本実施形態においては、係止部材３４の水平部分３４Ｈが突出部に相当する。
なお、梯子３０の下端は、図１及び図２に示すように接地足部３２が設けられている。接地足部３２の裏面にはゴムや発泡ウレタン等にて形成された板状体が貼付されている。これにより、梯子３０が床１０Ｙとの間で滑り移動することを規制している。
【００２７】
次に、設置用支持部としての水平部材１０Ｈ、及び、水平部材１０Ｈに梯子３０を支持させる構成について説明する。
図２及び図４に示すように、水平部材１０Ｈは、梯子３０の一対の縦桟３１の上端部における並び方向での外側面間の距離よりも長い距離だけ離間させて設けられている。また、一対の水平部材１０Ｈの夫々の上面は、平坦状に形成されている。
梯子３０のステップ３３に取り付けられた水平部分３４Ｈの梯子幅方向での外方側への突出量は、当該梯子３０の姿勢を縦桟３１の上端部の並び方向が一対の水平部材１０Ｈの並び方向に一致する姿勢としたときに、一対の水平部分３４Ｈの夫々が、対応する位置の水平部材１０Ｈと平面視で重複する突出量に設定されている。
【００２８】
そして、梯子３０を一対の水平部材１０Ｈに対して架設するときは、図５に示すように、一対の縦桟３１の並び方向と一対の水平部材１０Ｈの並び方向とが平面視で直交する角度またはそれに近い角度となる状態で、梯子３０全体を持ち上げて、一対の縦桟３１の上端のステップ３３を一対の水平部材１０Ｈの間に下方から上方に向けて差し込む。続いて、ステップ３３が水平部材１０Ｈよりも高い位置にある状態で梯子３０を上下方向に沿う軸心周りで回転させて、縦桟の上端部の並び方向が前記一対の設置用支持部の並び方向に一致する姿勢とする。その後、梯子３０全体を下降させることにより、梯子３０のステップ３３に取り付けられた一対の水平部分３４Ｈが一対の水平部材１０Ｈの夫々により下方から受け止め支持される状態となる。
図６に示すように、一対の水平部分３４Ｈの下面を一対の水平部材１０Ｈの上面にて受け止め支持した状態においては、ステップ３３の上面３３Ｍが水平面に沿う姿勢となるように構成されている。
【００２９】
また、水平部材１０Ｈに架設した梯子３０の上端のステップ３３に連続する作業用足場を形成すべく、水平部材１０Ｈに、複数の踏板４１を設置できるようになっている。
踏板４１は、図６に示すように、収納棚１０の左右方向の長さがステップ３３における収納棚１０の左右方向の長さとほぼ同じに形成されている。また、ステップ３３と同様に、踏板４１の梯子幅方向での端部より内方側に位置して、下方に延出する垂直部材４４Ｖと、同垂直部材４４Ｖの配設位置から梯子幅方向での外方側に突出する一対の水平部分４４Ｈとを備える係止部材４４が設けられている。さらに、係止部材４４における一対の水平部分４４Ｈの夫々の下面には、ゴムや発泡ウレタン等で形成された平板状の滑り止め部４４Ｓが設けられている。
踏板４１を一対の水平部材１０Ｈに対して設置するときは、例えば、梯子３０の中間部分まで昇った作業者Ｍ、またはステップ３３に搭乗している作業者Ｍに、下方にいる他の作業者が踏板４１を手渡しする。そして、作業者Ｍが、一対の水平部分４４Ｈの下面を水平部材１０Ｈの上面にて受け止め支持させる形態で、踏板４１を収納棚の左右方向に並べて設置する。
すなわち、収納棚１０の左右方向の長さよりも短く形成された踏板４１が、その下面を一対の水平部材１０Ｈの上面にて受け止め支持される形態で一対の水平部材１０Ｈに設置自在に構成されている。
【００３０】
また、踏板４１の上下方向の厚さは、踏板４１を一対の水平部材１０Ｈにて支持した状態において、踏板４１の上面４１Ｍが梯子３０を一対の水平部材１０Ｈに架設したときのステップ３３の上面３３Ｍと同じ高さとなる厚さに設定されている。
このため、踏板４１を一対の水平部材１０Ｈに設置した状態において、踏板４１の上面４１Ｍは梯子３０のステップ３３の上面３３Ｍと連続する状態となり、作業性のよい足場を形成することができる。
なお、ステップ３３の上面３３Ｍ、及び、踏板４１の上面４１Ｍには、滑り止めのための凹凸部を設けることが好ましい。
【００３１】
〔別実施形態〕
（１）上記実施形態では、一対の収納棚の夫々の前面に取り付けられた水平部材を設置用支持部として、梯子３０を一対の水平部材に架設する構成を説明したが、設置用支持部は、一対の縦桟の上端部における並び方向での外側面間の距離よりも長い設定距離だけ離間
し且つ上面が同じ高さであればよい。つまり、地面に掘削された溝部を狭幅の架設対象空間とし、溝部の両側の地面を設置用支持部としてもよい。このように、本願発明の梯子は、一対の収納棚の夫々の前面に取り付けられた水平部材に限らず様々な設置用支持部に対して架設可能である。
また、上記実施形態で説明したように、設置用支持部としての水平部材１０Ｈを収納棚１０の前面に別途取り付けるのではなく、収納部において物品を支持する横梁を設置用支持部として用いてもよい。
【００３２】
（２）梯子及びそれを備えた収納棚用のメンテナンス設備を、半導体基板容器の保管庫に対して用いる場合を説明したが、このような梯子及びそれを備えた収納棚用のメンテナンス設備は、半導体基板容器の保管庫に限らず、パレットに支持された物品を収納する収納部を備えた収納棚等、各種の収納棚に対して用いることができる。
【００３３】
（３）上記実施形態では、水平部分３４Ｈの下面に、突出部と水平部材との水平方向に沿う相対移動を規制する滑り止め部３４Ｓを設ける構成を説明したが、このような構成に限定されるものではなく、例えば滑り止め部を水平部材１０Ｈの上面に設けて水平部分３４Ｈの下面には設けない構成としたり、滑り止め部を水平部材１０Ｈの上面と水平部分３４Ｈの下面との双方に設ける構成としてもよい。
また、上記実施形態では、滑り止め部を、ゴムや発泡ウレタン等で形成された板状体としたが、板状体ではなく、ドット状の滑り止め部を直線的又は平面的に複数並べて備える構成としてもよい。また、滑り止め部として、水平部分３４Ｈの下面と水平部材１０Ｈの上面との夫々に、相互に噛み合うことで水平方向の相対移動を規制する凹凸部を形成してもよい。
【００３４】
（４）上記実施形態では、一対の縦桟の並び方向での両外方側に突出した一対の突出部を、平板状の水平部分３４Ｈとする構成を説明したが、このような構成に限定されるものではなく、例えば突出部を棒状体としてもよい。このときは、一対の縦桟３１の並び方向と直交する向きに複数の棒状体を備えることが好ましい。
【００３５】
（５）上記実施形態では、収納棚用のメンテナンス設備として、梯子３０と踏板４１とを備えるものを説明したが、梯子３０のみを備えるものとすることも可能である。
【００３６】
（６）上記実施形態では、ステップ３３と一対の縦桟３１とを、ステップ３３の上面が沿う方向に直交する方向と縦桟３１の長手方向が沿う方向とが傾斜する形態で接続する構成を例示したが、ステップ３３の上面が沿う方向に直交する方向と縦桟３１の長手方向とが直交する形態で接続する構成としてもよい。
また、上記実施形態においては、ステップ３３と一対の縦桟３１とを、ステップ３３の上面が沿う方向に直交する方向と縦桟３１の長手方向が沿う方向とが傾斜する形態で接続する場合における、ステップ３３の上面が沿う方向に直交する方向と縦桟３１の長手方向が沿う方向とがなす角度を、０度〜４５度（好ましくは１０度〜２０度）の範囲内の所定角度とする構成を例示したが、この角度を４５度以上とする等、ステップ３３の上面が沿う方向に直交する方向と縦桟３１の長手方向が沿う方向とがなす角度は任意に設定可能である。
【００３７】
（７）上記実施形態では、梯子３０の縦桟３１を１つの長尺部材にて構成したが、縦桟３１を、複数の部材を用いて繰り出し及び引退可能に構成してもよい。
【符号の説明】
【００３８】
１０      収納棚
１０Ｈ    水平部材
３０      梯子
３１      縦桟
３３Ｍ    平坦部の上面
３４Ｈ    突出部
３４Ｓ    滑り止め部
３５      横桟
４１      踏板
４１Ｍ    踏板の上面
Ｂ        物品
【図１】
2015172267.tif 000003
【図２】
2015172267.tif 000004
【図３】
2015172267.tif 000005
【図４】
2015172267.tif 000006
【図５】
2015172267.tif 000007
【図６】
2015172267.tif 000008